(57)【特許請求の範囲】
【請求項１】
平坦な矩形の床面を形成する上面部と当該上面部の外周囲から垂下する外周面を有したパレットと、
前記外周面から出没するように設けられた連結具と、
矩形の板状側壁を有し、
前記連結具の上面側に、前記板状側壁の下端縁と係合可能な溝を形成するとともに、当該溝の幅を前記パレットの外周面を構成する側壁の肉厚と同一幅に形成し、
前記パレットの外周面に、前記連結部を出没させる開口と、他のパレットに設けた連結部との被連結部を構成する開口を設けるとともに、突出時に前記溝の内側面が前記パレットの外周面と略同一面となるように前記連結具を取り付け、
前記パレットの外周面に他のパレット若しくは前記板状側壁を連結した場合に、当該外周面に密着するように構成したことを特徴とする組み立て式展示台。
【請求項２】
前記パレットの外形を正方形状に形成するとともに、
当該パレットの外周面に、２個一対の連結具を出没させる開口と他のパレットが備える前記連結具と係合して互いを結合する被連結部を構成する開口が、交互に等間隔で設けられていることを特徴とする請求項１記載の組み立て式展示台。
【請求項３】
前記パレットの外形を長辺の長さが短辺の長さの整数倍となるように形成するとともに、
当該パレットの外周面に、２個一対の連結具を出没させる開口と他のパレットが備える前記連結具と係合して互いを結合する被連結部を構成する開口が、交互に等間隔で設けられていることを特徴とする請求項１記載の組み立て式展示台。
【請求項４】
平坦な矩形の床面を形成する上面部と当該上面部の外周囲から垂下する外周面を有したパレットと、
前記外周面から出没するように設けられた連結具と、
矩形の板状側壁を有し、
前記連結具の上面側に、前記板状側壁の下端縁と係合可能な係合部を形成し、
前記連結具の下面側に、前記板状側壁の上端縁と係合可能な第二の係合部を形成したことを特徴とする組み立て式展示台。
【発明の詳細な説明】
【技術分野】
【０００１】
本発明は、組み立て式展示台に関するものである。
【背景技術】
【０００２】
従来、特許文献１記載の人形の組立ハウスが知られている。当該人形の組立ハウスは、矩形の板状体として形成された床板と、当該床板の周囲３方に取り付けられる３枚の側壁、およびこれら床板と各側壁が互いに接する角部を連結する複数個のジョイントを有したものとなっている。ジョイントは、床板および側壁の角部と係合する複数方向に伸びた溝を有しており、当該溝を利用して床板と側壁を連結するものとなっていた。
【先行技術文献】
【特許文献】
【０００３】
【特許文献１】特開昭５４−７６３３９号公報
【発明の概要】
【発明が解決しようとする課題】
【０００４】
しかしながら、ジョイントは単体の小部品として形成されているものであり、ジョイントを一つでも紛失してしまうと側壁の取り付けができなくなってしまうという欠点を有していた。また、各部材の結合は接合する部材同士の摩擦力に頼ったものであり、その結合状態は不安定なものであった。
本願発明は上記従来の欠点を解消するとともに連結による拡張性に優れた組み立て式展示台の提供を課題とするものである。
【課題を解決するための手段】
【０００５】
上記課題を解決するために、本発明は以下の構成を有するものである。すなわち、
平坦な矩形の床面を形成する上面部と当該上面部の外周囲から垂下する外周面を有したパレットと、
前記外周面から出没するように設けられた連結具と、
矩形の板状側壁を有し
前記連結具の上面側に、前記板状側壁の下端縁と係合可能な係合部を形成したことを特徴とする組み立て式展示台。
【０００６】
また、前記パレットの外形を正方形状に形成するとともに、
当該パレットの外周面に、他のパレットが備える前記連結具と係合して互いを結合する被連結部が設けられていることを特徴とする。
【０００７】
また、前記パレットの外形を長辺の長さが短辺の長さの整数倍となるように形成するとともに、他のパレットが備える前記連結具と係合して互いを結合する被連結部が設けられていることを特徴とする。
【０００８】
また、前記連結具の下面側に、前記板状側壁の上端縁と係合可能な第二の係合部を形成したことを特徴とする。
【発明の効果】
【０００９】
本発明に係る組み立て式展示台は、パレットの外周面から出没するように設けられた連結具を有しており、当該連結具を利用してパレットの周囲に立設する側壁、背面壁を取り付けることができるようになっている。連結具はパレット内部に組み込まれているので分離して脱落することがなく、紛失のおそれがないという効果を有している。また、未使用時にはパレットの外周面から突出させる必要がないので、邪魔にならず外観上の美観を損なわないという効果も有している。
また、水平面内における組み立て式展示台同士の結合は、剛性のあるパレット同士を部材同士の摩擦力ではなく構造的な係合によって連結する構造となっているので安定的であり強固であるという効果を有している。
【図面の簡単な説明】
【００１０】
【図１】本発明に係る組み立て式展示台の説明図である。
【図２】本発明に係る組み立て式展示台に用いる連結部材の説明図である。
【図３】パレットに対する連結部材の取付けを表した説明図である。
【図４】本発明に係る正方形パレットの説明図である。
【図５】本発明に係る組み立て式展示台の使用状態の一例を示す説明図である。
【図６】本発明に係る組み立て式展示台の使用例を表した説明図である。
【図７】本発明に係る正方形パレットを用いた組み立て式展示台の使用例を表した説明図である。
【発明を実施するための形態】
【００１１】
以下、本発明を実施するための形態について図を用いて説明する。
図１は本発明に係る人形や模型等を展示する組み立て式展示台（以下「展示台」という）１の説明図であり、図１（ａ）は分解斜視図、図１（ｂ）は組立斜視図を表している。
展示台１は、展示台としての床面を構成する矩形のパレット２と、当該パレット２に装着可能な左右の側壁３、４と、背面壁５を有している。左右の側壁３、４および背面壁５は合成樹脂により略均一の肉厚に形成した矩形の板状体として形成されている。側壁３と側壁４は同一の形状を成し、背面壁５は側壁３を２つ繋げたものと同じ長方形状を成している。
【００１２】
パレット２は、約１ｃｍ程度の高さを有するとともに、１０ｃｍ×２０ｃｍ四方の平坦な上面を有する合成樹脂製の成型物として形成されている。床面を構成する上面と外周を構成する各側面は、所定の肉厚を有する隔壁として形成されるとともに、その内部は中空状に形成されている。
また、各側面には内部と連通する複数の開口６を設けており、その内部には当該開口６を介して出退する連結具７が設けられている。開口６の内縁は、連結具７が有するアーム８の外縁に対して当接するようになっており出退する連結具７をガイドするようになっている。
【００１３】
連結具７は、図２（ａ）に示すように、基部から二股状に別れた２つのアーム８の先端部の上面に溝９を設けたものとなっている。溝９は、前記側壁３、４および背面壁５の肉厚とほぼ同じ幅を有したものであり、側壁３、４および背面壁５の下縁と嵌合する係合部となっている。また、アーム８が突出した状態の時に、パレット２の側面と溝９の内側面が略同一面をなすように取り付けられており、側壁３、４および背面壁５を溝９に嵌合させると、パレット２の側面とも接触することになり、当該側面に沿ってほぼ垂直に側壁３、４および背面壁５を立設させることができるようになっている。
【００１４】
また、２つのアーム８を結合する基部の中央には、アーム８とは反対の方向に突出した２つ割り状の突出体１０が設けられている。当該突出体１０は、図３に示すようにパレット２の内部に設けたガイド１７によって摺動可能に保持される部位となっており、パレット２側面の開口６からアーム８の先端を出退させるために設けられたものである。また、ガイド１７に挿通した突出体１０の抜け止めとして、パレット２の床面にはめ込まれるはめ込み部材１８が設けられている。
また、アーム８の先端部の裏面にも、図２（ｂ）に示すように溝状の嵌合凹部１１を設けている。当該嵌合凹部１１は、側壁３、４および背面壁５の上端縁に形成した凹凸と係合する形状に形成されており、上端縁の幅方向のみならず幅方向の移動も制限する係合部（第二の係合部）となっている。
【００１５】
図示したパレット２は、平面視の外形形状が短辺を構成する奥行き方向の長さに対して２倍の幅を有するように形成されている。具体的には、図４に示す正方形状のパレット１３を２個並べて一体化したものと同様の形状であり、短手方向と長手方向の比が１：２となるような形状をしている。言い換えるならば、正方形状のパレットを基本モジュールとして、その基本モジュールを２個連結した外観を有するものがパレット２となっている。
また、パレット２は他のパレットと水平面上において互いに結合することができるようになっている。例えば、一方のパレットの長手方向の側面に、他のパレットの長手方向の側面を一致させるように対向させると、一方のパレットの連結具７と当該連結具７と係合可能な被連結部１２が対向する位置関係となり、連結具７の溝９と被連結部１２の係合によって両パレットを密着した状態で連結することができるようになっている。
なお、一例としてパレットが有する平面視の外形形状を短手方向と長手方向の比が１：２となる場合を説明しているが、長手方向（長辺）の長さを短手方向（短辺）の長さの整数倍となるように形成したものであっても差し支えが無いものである。
【００１６】
前記パレット２が備える連結具（７）と被連結部（１２）の位置関係を、基本モジュールである図４に示す正方形パレット１３を用いて説明する。
正方形パレット１３は、上面部に床面となる約１０ｃｍ四方の正方形の平坦面を設けたものである。高さhは約１ｃｍであり、上面部の外周囲から垂下する外周面として４つの側面１４（１４ａ、１４ｂ、１４ｃ、１４ｄ）が設けられている。各側面１４には、それぞれ開口１５（１５ａ、１５ｂ、１５ｃ、１５ｄ）が２個一対として設けられており、当該開口１５を介して前記連結具７のアーム８の先端部を出没させるようになっている。正方形パレット１３に対する当該開口１５を介した連結具７の取付け構造は、前記図３に示したものと同様である。
【００１７】
前記開口１５を介して出退するアーム８と、当該アーム８に形成した溝９と係合する被連結部１６との関係について説明する。図４に示すように、角を揃えて隣り合うように正方形パレット１３と当該正方形パレット１３と同一仕様の正方形パレット１３’を配置した場合、一方の正方形パレット１３の側面１４ｄに設けた一対のアーム８と、正方形パレット１３’の側面１４ｂ’に形成した一対の開口（被連結部）１６ｂ’が対向する。
図４（ｂ）は、アーム８（溝９）と開口（被連結部）１６ｂ’との結合状態を表した部分断面図を示している。開口１６ｂ’の縁部には下向きの縁部が設けられており、上に向かって開口したアーム８の溝９と嵌合することで両者は互いに連結可能となっている。したがって、一旦係合すると水平方向に引き離そうとしても、縁部と溝９がかみ合っているので両者は外れることがないようになっている。
他方の正方形パレット１３’に形成した開口１６ｂ’は、一方の正方形パレット１３の側面１４ｂに形成した開口１６ｂと、その配置および形状が同じである。すなわち、側面１４ｄと側面１４ｂに平行な中心線Ｙ−Ｙ’を軸として、側面１４ｄに設けた開口１５ｄ（一対のアーム８の出退位置）と対象位置となる側面１４ｂ上に開口１６ｂが配置されるようになっている。
【００１８】
そして、上記側面１４ｄ上に設けた開口１５ｄと側面１４ｂ上に設けた開口１６ｂと同じものを、垂線Ｏ−Ｏ’を中心として水平面上で９０度ずつ回転させた回転対象となる位置にそれぞれ設ける。そのようにできたものが正方形パレット１３であって、側面１４ａにアーム８の出退位置である一対の開口１５ａとアーム８に対する被連結部である一対の開口１６ａが設けられ、側面１４ｂにアーム８の出退位置である一対の開口１５ｂとアーム８に対する被連結部である一対の開口１６ｂが設けられ、側面１４ｃにアーム８の出退位置である一対の開口１５ｃとアーム８に対する被連結部である一対の開口１６ｃが設けられ、側面１４ｄにアーム８の出退位置である一対の開口１５ｄとアーム８に対する被連結部であるである一対の開口１６ｄが設けられる。
上記のように形成した正方形パレット１３は、各側面がアーム８と被連結部を備えた同一の仕様に形成されることになり、各正方形パレットの側面同士を自在に結合させることができるようになっている。
【００１９】
上記正方形パレットを２つ並べて一体的に形成した外形を備えるものが、前述した長方形状のパレット２である。したがって、パレット２に正方形パレット１３を連結することも可能であるし、２個のパレット２を長手方向の側面同士を密着させて連結することも可能であるし、長手方向の側面に短手方向の側面を連結することも可能となっている。
また、上記構成のパレット２の周囲には、それぞれの長さに対応した側壁３，４、背面壁５が取り付けられる。これら側壁３，４、背面壁５の下縁には、凹部が設けられており、当該凹部がアーム８先端の溝９に嵌合する被係合部１９となっている。
また、側壁３，４、背面壁５の上縁にもアーム８先端の溝９の裏面側に形成した嵌合凹部１１に嵌合する凹凸によって形状した被係合部２０が設けられている。
【００２０】
パレット２の周囲に側壁３，４および背面壁５を装着すると、図１（ｂ）に示すような、一方（前面側）を除く３方向に側壁３，４および背面壁５を設けた空間が形成される。当該空間が、例えば人形等を展示する展示台、背景や装飾を伴ったジオラマのような展示台あるいはステージを形成するものとなっている。
また、図１（ｂ）に示すように、装着された側壁３，４および背面壁５の上縁に被せる装飾バー２１，２２およびコーナー部材２３を設けてもよい。装飾バー２１，２２は側壁３，４および背面壁の縁部と嵌合する溝を有した棒状体である。コーナー部材２３は、直角に屈曲した溝を有しており、互いに当接した側壁３と背面壁５、側壁４と背面壁５で形成される直角のコーナー部分の上縁に装着されることで、装飾と両壁の結合を行うようになっている。なお、コーナー部材２３を設けたほうが望ましいものであるが、装飾バー２１，２２は構造体としての強度の観点からは省いても差し支えの無いものである。
【００２１】
上記構成のパレット２および側壁で構成される展示台１は、上方に積み上げるように連結することができるようになっている。図５は展示台１の上方に展示台１’を積み重ねる様子を表した説明図である。
展示台１のパレット２の周囲に側壁３、側壁４、背面壁５を配置すると、側壁３、側壁４、背面壁５によってコ字状の上縁が形成される。各壁面の上縁には前述したように被係合部２０が設けられているので、当該被係合部２０に展示台１’下部のアーム８（嵌合凹部１１）を係合させることで両者を結合することができるようになっている。
【００２２】
上記展示台１と展示台１’との積み重ねの際、パレット２とパレット２’の間に支柱部材２４を設けることができる。
支柱部材２４は、柱となる軸部の上下両端に、パレット２およびパレット２’に設けた孔２５，２５’と嵌合する円柱突起２６をフランジ２７とともに設けたものとなっている。支柱部材２４は、パレット２’を下方から支えることにより、パレット２’の下方への撓みを防止するようになっているものである。
また、上記支柱部材２４に代えて、支柱作用を兼ねた隔壁体２８を設けてもよい。当該隔壁体２８は上縁の両端および下縁の両端に、パレット２およびパレット２’に設けた孔２５，２５’と嵌合する円柱突起２９を設けたものとなっている。
孔２５は、パレット２の表裏に貫通する孔であり、前述した正方形パレット１３上面の四隅にも同様の孔３０が設けられている。
【００２３】
図６は、正方形パレット１３を用いた展示台３１の説明図である。図６（ａ）は分解斜視図、図６（ｂ）は組み上げた状態の斜視図を表している。
正方形パレット１３を用いた展示台３１は、横方向の長さが異なるだけで、主な構造は前述した展示台１と同じである。若干異なるのは、背面壁３’に前記側壁３、４と同じものを用いることができ、装飾バー２１’に前記装飾バー２１と同じものを用いることができることである。その他は同じ部品を使用することができる。
【００２４】
図７は、展示台の様々な連結形態を表した説明図である。図７（ａ）は、２つの展示台を横方向に連結した例を表している。図７（ｂ）は２つの展示台を奥行き方向に連結した例を表している。図７（ｃ）は、図７（ａ）に示した展示台を上方に積み上げた例を表している。図７（ｄ）は、展示台を横方向、奥行き方向、上方向のそれぞれに複数個連結した例を表している。これらの例に示すように、本実施の形態に係る展示台は、様々な方向に連結可能なものとなっている。
【産業上の利用可能性】
【００２５】
本発明は、人形、模型、その他の小物類を展示したり、ジオラマのような背景を伴った展示物を形成することに利用可能である。
【符号の説明】
【００２６】
１  立て式展示台（展示台）
２  のパレット
３、４  側壁背
５  壁
６  開口
７  連結具
８  アーム
９  溝
１０  突出体
１１  嵌合凹部
１２  被連結部
１３  正方形パレット
１４（１４ａ、１４ｂ、１４ｃ、１４ｄ）  側面
１５（１５ａ、１５ｂ、１５ｃ、１５ｄ）  開口
１６  被連結部
１７  ガイド
１８  はめ込み部材
１９  被係合部
２０  被係合部
２１，２２  装飾バー
２３  コーナー部材
２４  支柱部材
２５  孔
２６  円柱突起
２７  フランジ
２８  隔壁体
２９  円柱突起
３０  孔
【図１】
0005995446.tif 000002
【図２】
0005995446.tif 000003
【図３】
0005995446.tif 000004
【図４】
0005995446.tif 000005
【図５】
0005995446.tif 000006
【図６】
0005995446.tif 000007
【図７】
0005995446.tif 000008